(57)【特許請求の範囲】
【請求項１】
ロータリーディスクタンブラー錠の鍵孔に挿入される本体部の上面及び／又は下面或いは側端縁の所定の箇所に、複数の擂鉢形の窪みを形成し、各窪みに対応するタンブラーの係合突起が係合したとき、各タンブラーの解錠切欠をロッキングバーに整合させてロータリーディスクタンブラー錠を解錠するものにおいて、各窪みを、その底面から所定の高さまでの内側擂鉢部分と、これに連設され、本体部表面に開口する外側擂鉢部分との２段の擂鉢部分で構成し、上記内側擂鉢部分の断面の開角度を従来の単一開角度の窪みの開角度である９３度より約１０度大きく設定して内側擂鉢部分の斜面の傾斜を緩やかにすると共に、外側擂鉢部分の開角度を従来の単一開角度の窪みの開角度である９３度より小さくして約９０度とし、外側擂鉢部分の開口の本体部表面における投影形状を従来のものと同程度にして鍵の強度を保つようにしたことを特徴とする鍵。
【請求項２】
ピンタンブラー錠の鍵孔に挿入される本体部の上面及び／又は下面或いは側端縁の所定の箇所に、複数の擂鉢形の窪みを形成し、各窪みに対応するタンブラーピンの先端が係合したとき、各タンブラーピンとドライバーピンとの接合部をシアーラインに整合させてピンタンブラー錠を解錠するものにおいて、各窪みを、その底面から所定の高さまでの内側擂鉢部分と、これに連設され、本体部表面に開口する外側擂鉢部分との２段の擂鉢部分で構成し、上記内側擂鉢部分の断面の開角度を従来の単一開角度の窪みの開角度である９３度より約１０度大きく設定して内側擂鉢部分の斜面の傾斜を緩やかにすると共に、外側擂鉢部分の開角度を従来の単一開角度の窪みの開角度である９３度より小さくして約９０度とし、内側擂鉢部分のそれより小さくして、外側擂鉢部分の開口の本体部表面における投影形状を開口を従来のものと同程度にして鍵の強度を保つようにしたことを特徴とする鍵。
【発明の詳細な説明】
【技術分野】
【０００１】
この発明は、シリンダ錠の鍵（以下単に鍵という）に係り、特に、鍵孔から円滑に引抜くことができる鍵に関する。
【背景技術】
【０００２】
本出願人は、先に、後記特許文献１を以て、新規なロータリーディスクタンブラー錠を提案した。
【０００３】
このロータリーディスクタンブラー錠は、従来の所謂レバータンブラー錠を改良したもので、図１に示すように、内筒１の軸線に平行な支軸２により揺動可能に支承され、中心部に鍵挿通孔３を開口させた環状のタンブラー４を、図示しないタンブラーばねにより、その係合突起５が鍵６の擂鉢形の鍵の窪み（以下単に窪みという）７に近接する方向に付勢し、係合突起が鍵の窪みの底面に当接したとき、タンブラーの解錠切欠８がロッキングバー９と整合して解錠状態となる。
【０００４】
なお、何故解錠状態となるかは、特許文献１に記載されていて周知であるから更に詳細な説明は省略する。
【特許文献１】特開２００３−１９３７１５
【特許文献２】特開平  ２−０３８６７４号公報
【発明の開示】
【発明が解決しようとする課題】
【０００５】
上記鍵の窪み７は、図２及び図３に示すように、その擂鉢の開角度、すなわち図３の角度αは約９０度であり、出願人会社の規格ではα＝９３度である。
【０００６】
なお、鍵の鍵孔に挿入される本体部の横断面形状（所謂ウォード）は例えば図３に示すように複雑な形状をしているので、窪みの鍵本体部表面における開口は円形ではなく、また、図２において点線で示したものは、鍵本体部の裏側における窪みの開口を示す。
【０００７】
ところで、鍵をシリンダ錠内筒の鍵孔に挿入しての施解錠操作後、鍵を鍵孔から引抜こうとすると、複数或いは多数のタンブラーの係合突起５、５が窪み７の斜面に押し付けられ、更なる鍵の鍵孔開口方向への移動により、各係合突起５と窪み７の斜面との間に楔作用が生じ、この楔作用により、各係合突起が窪みの斜面を擂り上がって鍵本体部表面に乗り上がる。
【０００８】
この場合、前係合突起５、５が同時に窪みの斜面に押し付けられ、上記楔作用が生じる前に摩擦抵抗が生じる上、この摩擦抵抗は静摩擦抵抗で鍵が移動し始めた後の動摩擦抵抗より大きいので、鍵を引抜こうと擂る動作の始めに大きな抵抗を感じ、場合によっては鍵が固定されていると感じることもある、等未だ改良の余地がある。
【０００９】
そこで、この発明は、鍵孔から円滑に引抜くことができる鍵を提供することを目的としている。
【課題を解決するための手段】
【００１０】
上記の目的を達成するため、請求項１に記載の発明は、ロータリーディスクタンブラー錠の鍵孔に挿入される本体部の上面及び／又は下面或いは側端縁の所定の箇所に、複数の擂鉢形の窪みを形成し、各窪みに対応するタンブラーの係合突起が係合したとき、各タンブラーの解錠切欠をロッキングバーに整合させてロータリーディスクタンブラー錠を解錠するものにおいて、各窪みを、その底面から所定の高さまでの内側擂鉢部分と、これに連設され、本体部表面に開口する外側擂鉢部分との２段の擂鉢部分で構成し、上記内側擂鉢部分の断面の開角度を従来の単一開角度の窪みの開角度である９３度より約１０度大きく設定して内側擂鉢部分の斜面の傾斜を緩やかにすると共に、外側擂鉢部分の開角度を従来の単一開角度の窪みの開角度である９３度より小さくして約９０度とし、外側擂鉢部分の開口の本体部表面における投影形状を従来のものと同程度にして鍵の強度を保つようにしたことを特徴とする。
【００１１】
また、請求項２に記載の発明は、ピンタンブラー錠の鍵孔に挿入される本体部の上面及び／又は下面或いは側端縁の所定の箇所に、複数の擂鉢形の窪みを形成し、各窪みに対応するタンブラーピンの先端が係合したとき、各タンブラーピンとドライバーピンとの接合部をシアーラインに整合させてピンタンブラー錠を解錠するものにおいて、各窪みを、その底面から所定の高さまでの内側擂鉢部分と、これに連設され、本体部表面に開口する外側擂鉢部分との２段の擂鉢部分で構成し、上記内側擂鉢部分の断面の開角度を従来の単一開角度の窪みの開角度である９３度より約１０度大きく設定して内側擂鉢部分の斜面の傾斜を緩やかにすると共に、外側擂鉢部分の開角度を従来の単一開角度の窪みの開角度である９３度より小さくして約９０度とし、内側擂鉢部分のそれより小さくして、外側擂鉢部分の開口の本体部表面における投影形状を開口を従来のものと同程度にして鍵の強度を保つようにしたことを特徴とする。
【発明の効果】
【００１２】
上記のように構成された請求項１又は２に記載の発明は、本体部を鍵孔に差込んでの施解錠操作後鍵を引抜くと、係合突起又はタンブラーピンの先端が先ず内側擂鉢部分の斜面に当接し、以降鍵が更に引抜かれるにしたがって、斜面と係合突起等との間に生じる楔作用により係合突起等が斜面を擂り上がると共に、相対的に鍵の先端に向かって移動する。
【００１３】
このとき、擂鉢部分の斜面の傾斜が従来のものより緩くなっており、楔作用により係合突起やタンブラーピンの先端を押上げる力が大きくなるので、従来のものより小さな力で鍵が静摩擦抵抗に打ち勝って移動を始め、一旦動き出してしまえば動摩擦抵抗は静摩擦抵抗より数段小さいので、以降鍵は円滑に移動し、結局この発明による鍵はタンブラーの数が多くても鍵孔への出し入れが円滑である、という所期の効果を奏する。
【００１４】
また、外側擂鉢部分の開角度を従来のものより小さくして、鍵の表面における開口の大きさを従来のものと同程度にしたので、鍵の強度を犠牲にすることがない。
【００１５】
更にまた、窪みを形成するには同じ形、すなわち、傾斜角が２段のエンドミルを使用すればよいので、実施が容易である、等種々の効果を奏する。
【発明を実施するための最良の形態】
【００１６】
各窪みを、その底面から所定の高さまでの内側擂鉢部分と、これに連設され、本体部表面に開口する外側擂鉢部分との２段の擂鉢部分で構成し、上記内側擂鉢部分の開角度を９０度より１０数度大きく設定して内側擂鉢部分の斜面の傾斜を緩やかにすると共に、外側擂鉢部分の開角度を内側擂鉢部分のそれより小さくして、外側擂鉢部分の本体部表面における開口を従来のものと同程度にする、という簡単な構成で、強度を保持したまま鍵孔への出し入れを円滑にする、という優れた効果を得ることができた。
【実施例１】
【００１７】
以下この発明の一実施例を図４乃至図８を参照して説明する。
図４及び図５において符号１１は内側擂鉢部分を、符号１２は外側擂鉢部分を夫々示し、これら内側及び外側擂鉢部分１１、１２は段差（隙間）なく接続されて窪み７を構成している。
【００１８】
そして、図示の実施例では、上記内側擂鉢部分１１の開角度は１０３度に、外側擂鉢部分１２のそれは９０度に設定され、外側擂鉢部分１２の開口の大きさは従来の窪みとほぼ同じ大きさとなっている。
【００１９】
ちなみに、内側及び外側擂鉢部分を区別せずに単一の擂鉢部分からなる従来の窪みの開角度は、本出願人会社の規格では９３度である。
【００２０】
また、内側擂鉢部分１１の円形の底面１３（図４参照）からの高さは、本出願人会社の規格では０．５ミリメートルである。
【００２１】
上記内側擂鉢部分１１の高さは、その斜面をタンブラーの係合突起が擂り上がり始めたらその役割を終えるので、上記のように高々０．５ミリメートル程度で充分である。
【００２２】
なお、図４において円形の底面１３の外側の同心円は、内側及び外側擂鉢部分１１、１２の接続線を示す。
【００２３】
また、図６に示すように、タンブラーの係合突起５の横断面における隅部は丸みが付けられている。
【００２４】
更にまた、本願発明の窪み７を形成するには、従来の窪みを形成するためのエンドミルの先端部の例えば０．５ミリメートルの部分を頂角１０３度に、これに続く先端部分を９０度に夫々設定すれば良い。
【００２５】
一方、図７は鍵の本体部の全体を示し、図７において本体部を横断する１１本の鎖線は夫々タンブラーの位置を示すが、図示の実施例では、１１個のタンブラーの内４個のタンブラーを抜くことにより一の鍵違い群を構成し、残りの７個のタンブラーに対応する窪みの深さを例えば４段階に変え、或いは７個のタンブラー形成位置の内選択された箇所にはタンブラーを配置しない、等の手段により鍵違いを得ている。
【００２６】
なお、図１に示すように、タンブラーの係合突起５は支軸２の回りを揺動するから、窪み７の深さによりその本体部の幅方向の距離が異なる。
【００２７】
また、図８に示すように、窪み７が深い場合には、その第２擂鉢部分１２が隣接する窪みと干渉するが、これは係合突起５との係合及び鍵の抜き差しの際の摺動に悪影響を与えない。
【実施例２】
【００２８】
図示の実施例では、この発明を特許文献１に記載のロータリーディスクタンブラー錠の鍵に適用するものとしたが、これは例えば特許文献２に記載のピンタンブラー錠に適用することができる。
【００２９】
このピンタンブラー錠は鍵の側端縁に窪みを形成するタイプであるが、近年鍵の本体部の上面及び／又は下面に窪みを形成するタイプのピンタンブラー錠も多数提案されている。
【図面の簡単な説明】
【００３０】
【図１】ロータリーディスクタンブラー錠の拡大横断面図。
【図２】その鍵の本体部の一部拡大平面図。
【図３】図２の横断面図。
【図４】本発明を適用した鍵の図２と同様の一部拡大平面図。
【図５】図４の横断面図。
【図６】窪みと係合突起の拡大断面図。
【図７】鍵の本体部の平面図。
【図８】図７のＶＩＩＩ−ＶＩＩＩ線による断面図。
【符号の説明】
【００３１】
１  内筒
２  支軸
３  鍵挿通孔
４  タンブラー
５  係合突起
６  鍵
７  窪み
８  解錠切欠
９  ロッキングバー
１１  内側擂鉢部分
１２  外側擂鉢部分
１３  底面
【図１】
0005476671.tif 000002
【図２】
0005476671.tif 000003
【図３】
0005476671.tif 000004
【図４】
0005476671.tif 000005
【図５】
0005476671.tif 000006
【図６】
0005476671.tif 000007
【図７】
0005476671.tif 000008
【図８】
0005476671.tif 000009